(57)【要約】【課題】釣りの現場において、所望のポイントに手を汚すことなく寄せ餌を的確に投入でき、集魚効果を速やかに生じさせることが可能で、しかも、環境を汚すこともない寄せ餌の投入用容器の提供。【解決手段】有底の円筒状をなす雌筒１と、有底の円筒状をなすと共に、筒口２０を先にして雌筒１の筒口１０から雌筒１内に回転操作可能に嵌め入れ組み合わされる雄筒２とからなり、両筒１、２共にゼラチンにより又はゼラチンを主材料として構成されていると共に、両筒１、２の組み合わせ状態においてその内部が寄せ餌Ｍの保持空間Ｙａとなるようになっており、しかも、両筒１、２の側部には、両筒１、２の組み合わせ状態において、雄筒２を所定の位置まで回転又は相対的に回転させることにより連通し合う寄せ餌Ｍの放出口１１、２１が形成されている。【選択図】図３
2006254717.tif 000002
【特許請求の範囲】
【請求項１】
有底の円筒状をなす雌筒と、
有底の円筒状をなすと共に、筒口を先にして雌筒の筒口から雌筒内に回転操作可能に嵌め入れ組み合わされる雄筒とからなり、
両筒共にゼラチンにより又はゼラチンを主材料として構成されていると共に、
両筒の組み合わせ状態においてその内部が寄せ餌の保持空間となるようになっており、
しかも、両筒の側部には、両筒の組み合わせ状態において、雄筒を所定の位置まで回転又は相対的に回転させることにより連通し合う寄せ餌の放出口が形成されていることを特徴とする寄せ餌の投入用容器。
【請求項２】
請求項１記載の投入用容器の保持空間に寄せ餌を保持させてなることを特徴とする釣り用寄せ餌。
【発明の詳細な説明】
【技術分野】
【０００１】
この発明は、磯釣りなどにおいて集魚のために用いられる寄せ餌を所望のポイントに的確に投入するために用いられる投入用容器、および、これを利用した釣り用寄せ餌に関する。
【背景技術】
【０００２】
磯釣りなどにおいて集魚のために用いられる寄せ餌を所望のポイントに的確に投入するようにしたものとして、こませをゼラチンなどにより被覆したカプセルをエアガンによって打ち出すようにしたものがある。（特許文献１参照）
【０００３】
しかるに、かかる特許文献１に示されるものにあっては、こませはカプセルが溶解して初めて放散されるため、状況によってはこませによる集魚効果を速やかに生じさせ難い。
【特許文献１】特開平７−１４３８３６号公報
【発明の開示】
【発明が解決しようとする課題】
【０００４】
この発明が解決しようとする主たる問題点は、釣りの現場において、所望のポイントに手を汚すことなく寄せ餌を的確に投入でき、集魚効果を速やかに生じさせることが可能で、しかも、環境を汚すこともない寄せ餌の投入用容器、および、これを利用した釣り用寄せ餌を提供する点にある。
【課題を解決するための手段】
【０００５】
前記問題点を解決するために、この発明にあっては、寄せ餌の投入用容器を、以下の（１）〜（５）の構成を備えたものとした。
（１）有底の円筒状をなす雌筒と、
（２）有底の円筒状をなすと共に、筒口を先にして雌筒の筒口から雌筒内に回転操作可能に嵌め入れ組み合わされる雄筒とからなり、
（３）両筒共にゼラチンにより又はゼラチンを主材料として構成されていると共に、
（４）両筒の組み合わせ状態においてその内部が寄せ餌の保持空間となるようになっており、
（５）しかも、両筒の側部には、両筒の組み合わせ状態において、雄筒を所定の位置まで回転又は相対的に回転させることにより連通し合う寄せ餌の放出口が形成されている。
【０００６】
投入用容器内には、雄筒と雌筒とを組み合わせる前に、雄筒及び雌筒の筒口を通じて両筒の双方又は一方の内部に寄せ餌を入れ込ませた後、両筒を組み合わせることにより寄せ餌を保持させることができる。雄筒の放出口と雌筒の放出口とが連通し合わない位置（以下、非連通位置という。）に雄筒を位置づけておくことにより前記のように保持させた寄せ餌が予期せずこぼれ出してしまうことを防止することができる。投入用容器を利用した寄せ餌の投入時には、雄筒の放出口と雌筒の放出口とが連通し合う所定の位置（以下、連通位置という。）まで雄筒を回転又は相対的に回転させた状態から投入用容器を水中に投入させることができ、保持された寄せ餌の放散を速やかに生じさせることができる。前記連通をし合う範囲の広さ、つまり、非連通状態からの雄筒の回転又は相対的な回転の量を加減することで、雄筒の放出口と雌筒の放出口とのオーバーラップ量は調整することができ、この調整により寄せ餌の放散速度を状況に応じて可変させることができる。
【０００７】
また、投入用容器に詰め込まれた寄せ餌は、空気圧などを利用した投射装置を利用して遠くまで正確に投射することもできる。
【０００８】
また、投入用容器はゼラチンを主原料としていることから最終的には投入用容器自体は溶解され、投入ポイントに詰め込まれた寄せ餌の全てを放散させる。その一方で、このように溶解される投入用容器自体も寄せ餌と同様に環境において短時間で分解されるものであり投入用容器が環境を汚すことはない。
【０００９】
また、この発明にかかる釣り用寄せ餌は、前記投入用容器の保持空間に寄せ餌を保持させてなるものである。
【００１０】
かかる釣り用寄せ餌にあっては、前記非連通位置に雄筒を位置づけておくことにより前記のように保持させた寄せ餌が予期せずこぼれ出してしまうことを防止することができる。投入時には、前記連通位置まで雄筒を回転又は相対的に回転させた状態から投入用容器を水中に投入させることができ、保持された寄せ餌の放散を速やかに生じさせることができる。前記連通をし合う範囲の広さ、つまり、非連通状態からの雄筒の回転又は相対的な回転の量を加減することで、雄筒の放出口と雌筒の放出口とのオーバーラップ量は調整することができ、この調整により寄せ餌の放散速度を状況に応じて可変させることができる。
【発明の効果】
【００１１】
この発明にかかる寄せ餌の投入用容器、および、これを利用した釣り用寄せ餌によれば、 釣りの現場において、所望のポイントに手を汚すことなく寄せ餌を的確に投入でき、また、集魚効果を速やかに生じさせることができる。しかも、ゼラチンにより又はゼラチンを主材料として構成されているので、環境を汚すこともない。残った寄せ餌、つまり、投入しなかった投入用容器に保持された寄せ餌は単純に持ち帰れば足りることから、使い切れなかった寄せ餌を釣り場周辺に投棄するといった状況を生じさせることがなく、釣り場の美観、釣り場の環境保持に寄与し得る特長を有する。
【発明を実施するための最良の形態】
【００１２】
以下、図１ないし図８に基づいて、この発明を実施するための最良の形態について説明する。
【００１３】
なお、ここで図１および図２は、投入用容器Ｙを構成する雄筒２と雌筒１とを分離させた状態を、図３〜図７は両筒１、２を組み合わせて寄せ餌Ｍを内部に保持した投入用容器Ｙ（つまり釣り用寄せ餌）を構成させた状態を、それぞれ示しており、図３〜図５は雄筒２の放出口２１と雌筒１の放出口１１とを連通させ合わせない状態を、図６および図７は雄筒２の放出口２１と雌筒１の放出口１１とを連通させ合わせた状態、つまり、水中への投入直前の状態を、それぞれ示している。また、図８は、両筒１、２を雄型Ｃを利用して成形する場合の様子を示している。
【００１４】
この実施の形態にかかる投入用容器Ｙは、磯釣りなどにおいて集魚のために用いられる寄せ餌Ｍを所望のポイントに的確に投入するために用いられるものである。かかる投入用容器Ｙの保持空間Ｙａ内に寄せ餌Ｍを保持させることで、かかる投入用容器Ｙを含んだ釣り用寄せ餌が構成される。
【００１５】
かかる投入用容器Ｙは、
（１）有底の円筒状をなす雌筒１と、
（２）有底の円筒状をなすと共に、筒口２０を先にして雌筒１の筒口１０から雌筒１内に回転操作可能に嵌め入れ組み合わされる雄筒２とからなり、
（３）両筒１、２共にゼラチンにより又はゼラチンを主材料として構成されていると共に、
（４）両筒１、２の組み合わせ状態においてその内部が寄せ餌Ｍの保持空間Ｙａとなるようになっており、
（５）しかも、両筒１、２の側部には、両筒１、２の組み合わせ状態において、雄筒２を所定の位置まで回転又は相対的に回転させることにより連通し合う寄せ餌Ｍの放出口１１、２１が形成されている。
【００１６】
典型的には、かかる雄筒２、および、雌筒１は、図１および図２に示されるように、筒一端を開放させて筒口１０、２０とし、かつ、筒他端を筒軸に直交する向きの底板１２、２２によって閉塞させた円筒体として構成される。
【００１７】
図示の例では、両筒１、２共に、内径はその筒軸方向においてどの位置でも略一定をなすように構成されているが、両筒１、２共に、底板１２、２２の縁部を巡る箇所の外側に隆起部１３、２３を有しており、両筒１、２共に、その底側の外側に筒口１０、２０側に向いた段差を有している。図示の例では、かかる段差は、筒口１０、２０側に向かうに連れて次第に低まる傾斜状の面によって構成されている。そして、図示の例では、雄筒２は、雌筒１の筒口１０が、雄筒２の段差面２３ａに接する位置まで、雌筒１内に前記のように嵌め入れることができるようになっている。図示の例では、雄筒２の長さ寸法と雌筒１の長さ寸法とは略等しくなるようにしてあり、両筒１、２を組み合わせた状態においては、雄筒２の筒口２０は雌筒１の底板１２の内面に接しないようになっている。また、前記放出口１１、２１は、両筒１、２共に、その側部であって、その直径方向両側位置にそれぞれ形成されている。かかる放出口１１、２１はいずれも筒軸方向に長く延びる長穴状をなすように構成されている。また、雄筒２のその底側を除いた箇所の外径は雌筒１の内径と略等しくなるようにしてある。
【００１８】
また、図示の例にあっては、雌筒１の底板１２の内面と放出口２１のこの底板１２側の穴端との間に環状隆起部１４が形成されており、この環状隆起部１４を、また、雄筒２におけるこの環状隆起部１４に当たる部分を変形させながら、雌筒１に雄筒２が前記のように組み合わせ切られるようになっている。これにより図示の例にあっては、雄筒２と雌筒１とを後述するように寄せ餌Ｍを内部に入れて組み合わせ切った後は、雌筒１の内面を案内面として雄筒２を回転又は相対的に回転操作させることを許容させながら、雌筒１内から雄筒２が抜け出してしまうことがないようになっている。
【００１９】
前記両筒１、２共に、ゼラチン粉、又は、ゼラチン粉に後述する添加材料を添加したものに、水を加え、それを加温・混練したものを、前記円筒体の形を持つように冷却・成形した後、これを乾燥させることにより得ることができる。典型的には、投入用容器Ｙは投入後３〜５分で溶解しきるように、その肉厚などを設定される。
【００２０】
投入用容器Ｙの添加材料を澱粉としておけば、投入用容器Ｙに適度な硬さを持たせることができる。また、投入用容器Ｙの添加材料を澱粉及びグリセリンとしておけば、投入用容器Ｙに適度な硬さを持たせながら、さらに割れ難くすることができる。
【００２１】
典型的には、ゼラチン１００重量部に対して澱粉５重量部とグリセリン５重量部を添加して投入用容器Ｙを構成する。
【００２２】
投入用容器Ｙ内には、雄筒２と雌筒１とを組み合わせる前に、雄筒２及び雌筒１の筒口１０、２０を通じて両筒１、２の双方又は一方の内部に寄せ餌Ｍを入れ込ませた後、両筒１、２を組み合わせることにより寄せ餌Ｍを保持させることができる。
【００２３】
保持させる寄せ餌Ｍとしては、粉状、顆粒状、破砕塊状、または、これらの一種又は二種以上を混合してなる乾燥状態の寄せ餌Ｍが予定される。例えば、さなぎ粉、さなぎ破砕物の単体、各種の混合寄せ餌Ｍなどが予定される。両筒１、２共に、有底の円筒状をなすので、寄せ餌Ｍの入れ込みは手詰めのみならず、機械詰めによっても容易になすことができる。乾燥状態の寄せ餌Ｍにはかかる入れ込みを容易にする観点から水を霧吹きなどで噴き付けるなどして入れ込み前に若干の水分を加えておくこともある。
【００２４】
雄筒２の放出口２１と雌筒１の放出口１１とが連通し合わない位置（以下、非連通位置という。）に雄筒２を位置づけておくことにより前記のように保持させた寄せ餌Ｍが予期せずこぼれ出してしまうことを防止することができる。（図３〜図５）投入用容器Ｙを利用した寄せ餌Ｍの投入時には、雄筒２の放出口２１と雌筒１の放出口１１とが連通し合う所定の位置（以下、連通位置という。）まで雄筒２を回転又は相対的に回転（つまり、雌筒１を雄筒２を軸とするように回転させる。）させた状態から投入用容器Ｙを水中に投入させることができ、保持された寄せ餌Ｍの放散を速やかに生じさせることができる。（図６、図７）前記連通をし合う範囲の広さ、つまり、非連通状態からの雄筒２の回転又は相対的な回転の量を加減することで、雄筒２の放出口２１と雌筒１の放出口１１とのオーバーラップ量は調整することができ、この調整により寄せ餌Ｍの放散速度を状況に応じて可変させることができる。
【００２５】
投入用容器Ｙに詰め込まれた寄せ餌Ｍは、手投げ、落とし込み、こませ篭への入れ込みなどの方法により、ポイントに投入することができる。
【００２６】
また、投入用容器Ｙに詰め込まれた寄せ餌Ｍは、空気圧などを利用した投射装置を利用して遠くまで正確に投射することもできる。かかる投射装置としては、本出願人が先に開示した特願２００５−５３７５４号所載の投射装置などを用いることができる。
【００２７】
また、投入用容器Ｙはゼラチンを主原料としていることから最終的には投入用容器Ｙ自体は溶解され、投入ポイントに詰め込まれた寄せ餌Ｍの全てを放散させる。その一方で、このように溶解される投入用容器Ｙ自体も寄せ餌Ｍと同様に環境において短時間で分解されるものであり投入用容器Ｙが環境を汚すことはない。
【００２８】
また、図示の例にあっては、両筒１、２共に、底板１２、２２の中央部に孔１５、２４が形成されている。これにより、両筒１、２への寄せ餌Ｍの入れ込み、あるいは、この入れ込み後の両筒１、２の組み合わせにあたって、かかる孔１５、２４から保持空間Ｙａ内のエアを抜け出させることができ、この入れ込み、あるいは、組み合わせをスムースに行えるようにすることができる。また、水中への投入時には、前記放出口１１、２１とこの孔１５、２４の両方から、寄せ餌Ｍが水中に放散されるようにすることができる。また、かかる孔１５、２４に釣針を引っかけ投入用容器Ｙを吊り下げるようにして、所望のポイントに釣り竿を利用して投入用容器Ｙを投げ込むこともできる。
【００２９】
また、図８に示されるように、両筒１、２の内部形状に倣った雄型Ｃの表面に乾燥により両筒１、２となる材料（つまり、前記のゼラチンなどに水を加えて混錬したもの）よりなる層をどぶ漬けなどして形成させ乾燥させた後、この雄型Ｃの根本位置においてかかる層にカッティングｘを施し、そこから上の部分を雄筒２又は雌筒１として得るようにする場合には、かかる孔１５、２４を活用して、両筒１、２を容易にこの雄型Ｃから脱型させることができる。すなわち、前記カッティングｘ後、雄型Ｃから未だ脱型されていない両筒１、２の底板１２、２２に前記孔１５、２４を形成させる管体Ｐを刺した後、この管体Ｐにエアを噴き込ませることにより、雄型Ｃから両筒１、２を容易に脱型させることができる。
【００３０】
孔１５、２４は１ｍｍ程度の細孔１５、２４であっても良い。また、蓋１５ａ、２４ａ付きの孔１５、２４であっても良い。すなわち、図１に示されるように、かかる孔１５、２４を、Ｃ字状の溝１５ｂ、２４ｂによって形成されるようにしておいても良い。このようにした場合、水中への投入前に、この孔１５、２４から寄せ餌Ｍがこぼれ落ち難くできる。水中への投入時には、蓋１５ａ、２４ａを内側に押し込むことで孔１５、２４の側からも水中に寄せ餌Ｍが放散するようにすることができる。
【００３１】
Ｃ字状の溝１５ｂ、２４ｂは、前記管体Ｐを注射針状に形成させておき、前記脱型時に、この管体Ｐの斜めにカットされた先端を越えて雄型Ｃから未だ脱型されていない雌筒１または雄筒２に管体Ｐを刺さないようにしたり、あるいはまた、かかる管体Ｐの断面形状を字状としておくことにより、かかる雌筒１または雄筒２に形成させることができる。
【図面の簡単な説明】
【００３２】
【図１】雄筒２と雌筒１を分離させた状態の斜視図
【図２】同断面図
【図３】投入用容器Ｙの斜視図
【図４】同縦断面構成図
【図５】同横断面構成図
【図６】雄筒２の放出口２１と雌筒１の放出口１１とを連通させ合わせた状態の斜視図
【図７】同横断面構成図
【図８】成形の仕方の一例を示した断面構成図
【符号の説明】
【００３３】
Ｙ  投入用容器
Ｙａ  保持空間
Ｍ  寄せ餌
１  雌筒
１０  筒口
１１  放出口
２  雄筒
２０  筒口
２１  放出口
【図１】
2006254717.tif 000003
【図２】
2006254717.tif 000004
【図３】
2006254717.tif 000005
【図４】
2006254717.tif 000006
【図５】
2006254717.tif 000007
【図６】
2006254717.tif 000008
【図７】
2006254717.tif 000009
【図８】
2006254717.tif 000010